(57)【要約】【課題】光学性能を確保できるように高精度な組み立てを行いながらも、生産性向上を行えるレンズユニット及び撮像装置を提供する。【解決手段】第１レンズＬ１に対して第２レンズＬ２を接近させると、テーパ面Ｌ１ｆの案内によって、第１レンズＬ１に対して第２レンズＬ２がセンタリングされ、双方の光軸が一致するようになるから、更に第１レンズＬ１に対して第２レンズＬ２を押圧することで、凸部Ｌ１ｂの内周面Ｌ１ｄと、凸部Ｌ２ｂの外周面Ｌ２ｄとが摺動して圧入がなされ,両者は隙間なく密着することとなる。【選択図】図５
2016001261.tif 000002
【特許請求の範囲】
【請求項１】
第１のレンズ及び第２のレンズを備えたレンズユニットにおいて、
前記第１のレンズは、第１の内周面又は第１の外周面を備えたフランジ部を有し、
前記第２のレンズは、前記第１の外周面と嵌合する第２の内周面又は前記第１の内周面と嵌合する第２の外周面を備えたフランジ部を有し、
嵌合し合う前記内周面と前記外周面の一方にはテーパ面が形成されており、
組み付け時に、前記第１のレンズと前記第２のレンズとを光軸方向から相対的に接近させたとき、前記テーパ面が案内することで前記内周面と前記外周面との嵌合を支援して、更に圧入を行うことを特徴とするレンズユニット。
【請求項２】
前記第１のレンズ及び前記第２のレンズを保持する鏡枠を有し、前記第１のレンズを前記鏡枠に組み付けた後に、前記第２のレンズを前記鏡枠に組み付けるようになっており、前記テーパ面の光軸直交方向距離をＡ、組み付け時における前記第２のレンズと前記鏡枠との光軸方向最小距離をＢとしたときに、Ａ＞Ｂであることを特徴とする請求項１に記載のレンズユニット。
【請求項３】
前記第１のレンズは、前記第１の内周面又は前記第１の外周面を備えた第１凸部を有し、前記第２のレンズは、前記第２の内周面又は前記第２の外周面を備えた第２凸部を有することを特徴とする請求項１又は２に記載のレンズユニット。
【請求項４】
前記第１凸部が前記第２フランジ部に当接し、或いは前記第２凸部が前記第１フランジ部に当接してなることを特徴とする請求項３に記載のレンズユニット。
【請求項５】
前記第１のレンズと前記第２のレンズの圧入前に前記テーパ面に案内される前記第１凸部又は前記第２凸部のエッジには、面取り加工が施されていることを特徴とする請求項３又は４に記載のレンズユニット。
【請求項６】
前記第１のレンズと前記第２のレンズの少なくとも一方はプラスチック製であることを特徴とする請求項１〜７のいずれかに記載のレンズユニット。
【請求項７】
請求項１〜６のいずれかに記載のレンズユニットと、固体撮像素子とを有することを特徴とする撮像装置。
【発明の詳細な説明】
【技術分野】
【０００１】
本発明は、ＣＣＤ型イメージセンサあるいはＣＭＯＳ型イメージセンサ等の固体撮像素子を有する撮像装置に用いられると好適なレンズユニット及び撮像装置に関するものである。
【背景技術】
【０００２】
近年、ＣＣＤ型イメージセンサやＣＭＯＳ型イメージセンサ等の固体撮像素子を用いた撮像装置が搭載された携帯端末が普及している。このような携帯端末に搭載される撮像装置においても、より高画質の画像が得られるよう、高画素数の撮像素子を使用したものが市場に供給されるようになってきた。高画素数をもつ撮像素子は大型化をともなっていたが、近年、画素の高細密化が進み、撮像素子が小型化されるようになってきた。これに伴い、撮像装置に搭載されるレンズユニットも、低背化に加え、高精度な組み立てを確保しつつ生産性を向上することが要求されている。
【０００３】
ここで、レンズユニットを複数のレンズからなる組み合わせレンズとしたときに、各レンズを薄肉化することは勿論、各レンズの光軸を精度良く一致させることに加え、レンズの軸間距離を精度良く合わせる必要がある。
【０００４】
このような課題に対し、特許文献１には、テーパ内周面とテーパ外周面とを当接させることで、レンズの光軸を精度良く一致させることができる技術が開示されている。
【先行技術文献】
【特許文献】
【０００５】
【特許文献１】特開２０１３−２２２１５６号公報
【発明の概要】
【発明が解決しようとする課題】
【０００６】
しかし、特許文献１に示された従来技術には、１つの問題がある。かかる問題を、図１を参照して説明する。図１（ａ）に示すように、第１のレンズＬＳ１は、フランジ部に突き当て面Ａ１とテーパ外周面Ｔ１を有し、第２のレンズＬＳ２は、フランジ部に突き当て面Ａ２とテーパ内周面Ｔ２を有しており、テーパ外周面Ｔ１とテーパ内周面Ｔ２とを当接させることで、レンズＬＳ１，ＬＳ２の光軸を合わせつつ、突き当て面Ａ１，Ａ２を互いに当接させることで、レンズＬＳ１，ＬＳ２の軸間距離Ｄを規定値に合わせるようになっている。
【０００７】
しかるに、図１（ａ）に示すように、レンズＬＳ１，ＬＳ２の寸法精度が設計値通りである場合は問題ないが、実際には公差範囲内で、レンズＬＳ１，ＬＳ２に寸法誤差が存在する。すると、例えばテーパ外周面Ｔ１の径が、テーパ内周面Ｔ２の径に対して設計値よりも大きい場合、図１（ｂ）に示すように、テーパ外周面Ｔ１とテーパ内周面Ｔ２との当接位置が規定位置とならず、レンズＬＳ１，ＬＳ２の光軸は一致するが、レンズＬＳ２に対してレンズＬＳ１が浮き上がり、それによりレンズＬＳ１，ＬＳ２の光軸間距離Ｄ’が，適正距離Ｄに対して増大するという問題がある。この状態を放置すると撮像性能に影響が及ぶため、両者を接着固定する前に、治具などを用いて突き当て面Ａ１、Ａ２が互いに当接するまで圧入させ、当接した状態を保持させる仮固定を行わなくてはならず、これが部品破損や性能劣化の原因となったり、組立工程が増加して生産コストの上昇を招く恐れがある。
【０００８】
一方、例えばテーパ外周面Ｔ１の径が、テーパ内周面Ｔ２の径に対して設計値よりも小さい場合、図１（ｃ）に示すように、テーパ外周面Ｔ１とテーパ内周面Ｔ２とが当接する前に、突き当て面Ａ１，Ａ２が突き当たることとなり、それによりレンズＬＳ１，ＬＳ２の光軸間距離Ｄは適正になるが、レンズＬＳ２に対してレンズＬＳ１を光軸直交方向に位置決めできないから、レンズＬＳ１，ＬＳ２の光軸がずれるという問題がある。又、この状態ではレンズＬＳ１，ＬＳ２の間にガタが生ずるため、両者を接着固定する前に、相対移動を禁止するように仮固定を行わなくてはならず、それにより工程が増加して生産コストが上昇するという問題がある。
【０００９】
また、レンズＬＳ１，ＬＳ２の光軸を一致させるために、カメラの撮影による画像認識等を用いた光軸合わせ技術も知られている。しかしながら、一般的なレンズは透明であることから、正確な光軸を検出するためには専用の治具が必要になり、またレンズを保持しつつ高精度に移動するロボットなども必要となるので、生産コストが増大するという問題がある。
【００１０】
本発明は、上記した問題に鑑みてなされたものであり、光学性能を確保できるように高精度な組み立てを行いながらも、生産性向上を行えるレンズユニット及び撮像装置を提供することを目的とする。
【課題を解決するための手段】
【００１１】
請求項１に記載のレンズユニットは、第１のレンズ及び第２のレンズを備えたレンズユニットにおいて、
前記第１のレンズは、第１の内周面又は第１の外周面を備えたフランジ部を有し、
前記第２のレンズは、前記第１の外周面と嵌合する第２の内周面又は前記第１の内周面と嵌合する第２の外周面を備えたフランジ部を有し、
嵌合し合う前記内周面と前記外周面の一方にはテーパ面が形成されており、
組み付け時に、前記第１のレンズと前記第２のレンズとを光軸方向から相対的に接近させたとき、前記テーパ面が案内することで前記内周面と前記外周面との嵌合を支援して、更に圧入を行うことを特徴とする。
【００１２】
本発明によれば、組み付け時に、前記第１のレンズと前記第２のレンズとを光軸方向から相対的に接近させたとき、前記テーパ面が相手部材を案内することにより、前記内周面と前記外周面とがセンタリングされるから、多少の挿入位置の誤差や寸法誤差等が生じていても嵌合可能な状態になり、これにより圧入の準備が整うので、嵌合した前記第１のレンズと前記第２のレンズとを光軸方向に押圧することで、両者の圧入を容易に行える。これにより画像認識等を用いることなく複数のレンズの光軸を精度良く一致させてなる、生産性の高いレンズユニットを形成できる。
【００１３】
請求項２に記載のレンズユニットは、請求項１に記載の発明において、前記第１のレンズ及び前記第２のレンズを保持する鏡枠を有し、前記第１のレンズを前記鏡枠に組み付けた後に、前記第２のレンズを前記鏡枠に組み付けるようになっており、前記テーパ面の光軸直交方向距離をＡ、組み付け時における前記第２のレンズと前記鏡枠との光軸方向最小距離をＢとしたときに、Ａ＞Ｂであることを特徴とする。
【００１４】
これにより、前記第１のレンズを前記鏡枠に組み付けた後に、前記第２のレンズを前記鏡枠に組み付ける際に、前記第２のレンズと前記鏡枠との干渉を回避して、スムーズな組付けを確保できる。
【００１５】
請求項３に記載のレンズユニットは、請求項１又は２に記載の発明において、前記第１のレンズは、前記第１の内周面又は前記第１の外周面を備えた第１凸部を有し、前記第２のレンズは、前記第２の内周面又は前記第２の外周面を備えた第２凸部を有することを特徴とする。
【００１６】
これにより、互いに嵌合し合う前記内周面と前記外周面を、前記第１凸部及び前記第２凸部上に容易に形成できる。
【００１７】
請求項４に記載のレンズユニットは、請求項３に記載の発明において、前記第１凸部が前記第２フランジ部に当接し、或いは前記第２凸部が前記第１フランジ部に当接してなることを特徴とする。
【００１８】
これにより、前記第１のレンズと前記第２のレンズの光軸間距離を精度良く合わせ込むことができる。
【００１９】
請求項５に記載のレンズユニットは、請求項３又は４に記載の発明において、前記第１のレンズと前記第２のレンズの圧入前に前記テーパ面に案内される前記第１凸部又は前記第２凸部のエッジには、面取り加工が施されていることを特徴とする。
【００２０】
前記第１凸部又は前記第２凸部のエッジに面取り加工を施すことで、前記テーパ面により案内される際に、前記テーパ面をエッジで削り取ることが抑制され、塵埃等がレンズ面に付着することが回避される。
【００２１】
請求項６に記載のレンズユニットは、請求項１〜５のいずれかに記載の発明において、前記第１のレンズと前記第２のレンズの少なくとも一方はプラスチック製であることを特徴とする。
【００２２】
前記第１のレンズと前記第２のレンズの少なくとも一方がプラスチック製であると，圧入時の応力により破損する恐れが少ないので好ましい。
【００２３】
請求項７に記載の撮像装置は、請求項１〜６のいずれかに記載のレンズユニットと、固体撮像素子とを有することを特徴とする。
【発明の効果】
【００２４】
本発明によれば、光学性能を確保できるように高精度な組み立てを行いながらも、生産性向上を行えるレンズユニット及び撮像装置を提供することができる。
【図面の簡単な説明】
【００２５】
【図１】従来技術によるレンズの組み合わせ例を示す断面図である。
【図２】本実施の形態にかかる撮像装置１０の光軸に沿った断面図である。
【図３】図２の矢印III部を拡大して示す図である。
【図４】図３に示す第１レンズＬ１と、第１遮光板ＡＰ１と、第２レンズＬ２とを分解した状態で示す図である。
【図５】凸部Ｌ１ｂ、Ｌ２ｂの一部を拡大して示す図である。
【図６】撮像装置１０を搭載したスマートフォンの正面図（ａ）及び背面図（ｂ）である。
【図７】図６のスマートフォンの制御ブロック図である。
【図８】本実施の形態の変形例を示す図５と同様な断面図である。
【図９】本実施の形態の別な変形例を示す図４と同様な断面図である。
【図１０】本実施の形態の別な変形例を示す図４と同様な断面図である。
【図１１】本実施の形態の別な変形例を示す図４と同様な断面図である。
【発明を実施するための形態】
【００２６】
以下、本発明の実施の形態を図面に基づいて説明する。図２は、本実施の形態にかかる撮像装置１０の光軸に沿った断面図である。以下に示す構成は概略図であり、形状や寸法等は実際と異なるものがある。
【００２７】
図２に示すように、撮像装置１０は、光電変換部（受光面）１１ａを備えた固体撮像素子としてのＣＭＯＳ型撮像素子１１と、この撮像素子１１の光電変換部１１ａに被写体像を撮像させる撮像レンズ１２と、撮像レンズ１２を保持する鏡枠１３と、平行平板状であるＩＲカットフィルタ１４と、撮像素子１１を支持する基板１５とを有する。
【００２８】
図２に示すように、撮像素子１１は、平行平板状のチップ上において、その受光側（図１で上面）の中央部に、画素（光電変換素子）が２次元的に配置された、撮像面としての光電変換部１１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。
【００２９】
また、撮像素子１１のチップにおける受光面側の外縁近傍に形成された複数のパッドは、不図示のワイヤにより基板１５に接続されている。撮像素子１１は、光電変換部１１ａからの信号電荷をデジタルＹＵＶ信号等の画像信号等に変換し、不図示の外部回路（例えば、撮像装置を実装した上位装置が有する制御回路）へと送信するようになっている。又、外部回路から撮像素子１１を駆動するための電力やクロック信号の供給を受けることもできる。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００３０】
図２において、鏡枠１３の内部には、プラスチック製である５枚レンズ構成の撮像レンズ１２が設けられている。撮像レンズ１２と鏡枠１３とでレンズユニットを構成する。撮像レンズ１２は物体側より順に、第１レンズＬ１、第２レンズＬ２、第３レンズＬ３、第４レンズＬ４、第５レンズＬ５からなり、それぞれ有効径外にフランジ部を有する。
【００３１】
第１レンズＬ１のフランジ部Ｌ１ａの物体側面は、鏡枠１３の開口を有する壁部１３ａの像側面及び内壁１３ｂに当接している。第１レンズ（第１のレンズ）Ｌ１の有効径外周に設けられたフランジ部（第１フランジ部）Ｌ１ａの像側面の一部には、環状に突出した凸部（第１凸部）Ｌ１ｂを形成している。又、第２レンズ（第２のレンズ）Ｌ２の有効径外周に設けられたフランジ部（第２フランジ部）Ｌ２ａの物体側面の一部には、環状に突出した凸部（第２凸部）Ｌ２ｂを形成している。第１レンズＬ１のフランジ部Ｌ１ａと、第２レンズＬ２のフランジ部Ｌ２ａとの間には、ドーナッツ板状の第１遮光板ＡＰ１が配置されている。
【００３２】
更に、第２レンズＬ２のフランジ部Ｌ２ａの像側面の一部には、環状に突出した凸部Ｌ２ｃを形成している。又、第３レンズＬ３の有効径外周に設けられたフランジ部Ｌ３ａの物体側面の一部には、環状に突出した凸部Ｌ３ｂを形成している。第２レンズＬ２のフランジ部Ｌ２ａと、第３レンズＬ３のフランジ部Ｌ３ａとの間には、ドーナッツ板状の第２遮光板ＡＰ２が配置されている。
【００３３】
更に、第３レンズＬ３のフランジ部Ｌ３ａの像側面の一部には、環状に突出した凸部Ｌ３ｃを形成している。又、第４レンズＬ４の有効径外周に設けられたフランジ部Ｌ４ａの物体側面の一部には、環状に突出した凸部Ｌ４ｂを形成している。第３レンズＬ３のフランジ部Ｌ３ａと、第４レンズＬ４のフランジ部Ｌ４ａとの間には、ドーナッツ板状の第３遮光板ＡＰ３が配置されている。
【００３４】
更に、第４レンズＬ４のフランジ部Ｌ４ａの像側面と、第５レンズＬ５のフランジ部Ｌ５ａとの間に、ドーナッツ板状の第４遮光板ＡＰ４が当接して挟持されている。第４遮光板ＡＰ４及び第５レンズＬ５の外周は、鏡枠１３の内周に当接している。
【００３５】
第５レンズＬ５のフランジ部Ｌ５ａの撮像素子１１側には、環状のスペーサＳＰを介してＩＲカットフィルタ１４が配置されている。鏡枠１３の下端は、ＩＲカットフィルタ１４を保持する環状のホルダ１６を介して基板１５上に当接している。
【００３６】
図３は、図２の矢印III部を拡大して示す図である。図４は、図３に示す第１レンズＬ１と、第１遮光板ＡＰ１と、第２レンズＬ２とを分解した状態で示す図である。第１レンズＬ１の凸部Ｌ１ｂは、内周面（第１の内周面）Ｌ１ｄと、下端面Ｌ１ｅと、内周面Ｌ１ｄと下端面Ｌ１ｅとの間に形成されたテーパ面Ｌ１ｆを有している。一方、第２レンズＬ２の凸部Ｌ２ｂは、外周面（第２の内周面）Ｌ２ｄを有している。外周面Ｌ２ｄの外径は、内周面Ｌ１ｄの内径に等しいか、それより大きくなっている。
【００３７】
テーパ面Ｌ１ｆの光軸直交方向距離をＡ、第２レンズＬ２と鏡枠１３との光軸方向最小距離（ここではフランジ部Ｌ２ａの最外周と鏡枠１３の内周面との間隔）をＢとしたときに、Ａ＞Ｂである。尚、図示していないが、第２レンズＬ２〜第４レンズＬ４においても、隣接するレンズ同士の凸部が同様な関係を有しており、従って、隣接するレンズが第１のレンズと第２のレンズを構成するものといえる。
【００３８】
図５は、凸部Ｌ１ｂ、Ｌ２ｂの一部を拡大して示す図であり、組み付け状態を段階的に示すが、第１遮光部材ＡＰ１は省略している。組み付け時において、図４に示すように、鏡枠１３に最初に第１レンズＬ１が組み付けられているものとする。ここで、間に第１遮光部材ＡＰ１を介在させつつ、第１レンズＬ１に対して第２レンズＬ２を接近させてゆく。このとき、図３を参照して、Ａ＞Ｂの関係があるので、鏡枠１３内の内壁に沿って第２レンズＬ２を挿入してゆくと、必ず第２レンズＬ２の凸部Ｌ２ｂの角部ＣＰ（図４）が、第１レンズＬ１の凸部Ｌ１ｂのテーパ面Ｌ１ｆに当接することとなる（図５（ａ）参照）。
【００３９】
更に、第１レンズＬ１に対して第２レンズＬ２を接近させると、テーパ面Ｌ１ｆの案内によって、第１レンズＬ１に対して第２レンズＬ２がセンタリングされ（図５（ａ）で左方に押され）、双方の光軸が一致するようになるから、更に第１レンズＬ１に対して第２レンズＬ２を押圧することで、凸部Ｌ１ｂの内周面Ｌ１ｄと、凸部Ｌ２ｂの外周面Ｌ２ｄとが摺動して圧入がなされ,両者は隙間なく密着することとなる（図５（ｂ）参照）。更に、第１レンズＬ１に対して第２レンズＬ２を押圧すると、凸部Ｌ１ｂの下端面Ｌ１ｅが、フランジ部Ｌ２ａの上面に当接し、これにより組み付けが完了する。尚、第２レンズＬ２〜第４レンズＬ４においても、同様に設けたテーパ面により案内され且つ凸部の内周面と外周面とを嵌合して組み付けることができる。その後、第４レンズＬ４との間に第４遮光部材ＡＰ４を介在させた上で、第５レンズＬ５を鏡枠１３に組み付けて、不図示の接着剤を塗布して固化させることで、レンズユニットが形成される。かかるレンズユニットは、基板１５等に組み付けられて撮像装置１０が完成する。
【００４０】
上述した撮像装置１０の動作について説明する。図６は、撮像装置１０を携帯端末としてのスマートフォン１００に装備した状態を示す。また、図７はスマートフォン１００の制御ブロック図である。
【００４１】
撮像装置１０は、例えば、鏡枠１３の物体側端面がスマートフォン１００の背面（図６（ｂ）参照）に設けられ、液晶表示部の下方に相当する位置に配設される。
【００４２】
撮像装置１０は、外部接続端子（図７では矢印）を介して、スマートフォン１００の制御部１０１と接続され、輝度信号や色差信号等の画像信号を制御部１０１側に出力する。
【００４３】
一方、スマートフォン１００は、図７に示すように、各部を統括的に制御すると共に、各処理に応じたプログラムを実行する制御部（ＣＰＵ）１０１と、電源等のスイッチ及び番号等をタッチパッドにより指示入力するための入力部６０と、所定のデータの他に撮像した映像等を液晶パネルで表示する表示部６５（但し、表示部の液晶パネルと入力部のタッチパッドはタッチパネル７０が兼用する）と、外部サーバとの間の各種情報通信を実現するための無線通信部８０と、スマートフォン１００のシステムプログラムや各種処理プログラム及び端末等の必要な諸データを記憶している記憶部（ＲＯＭ）９１と、制御部１０１によって実行される各種処理プログラムやデータ、若しくは処理データ、或いは撮像装置１０により得られた撮像データ等を一時的に格納する作業領域として用いられる及び一時記憶部（ＲＡＭ）９２とを備えている。
【００４４】
スマートフォン１００は、入力キー部６０の操作によって動作し、アクチュエータ（不図示）により撮像レンズ１２を駆動してオートフォーカス動作を行い、レリーズボタン７１等を押圧することで、撮像装置１０を動作させて撮像を行うことができる。撮像装置１０から入力された画像信号は、上記スマートフォン１００の制御系により、記憶部９２に記憶されたり、或いはタッチパネル７０で表示され、さらには、無線通信部８０を介して映像情報として外部に送信される。
【００４５】
図８は、本実施の形態の変形例を示す図５と同様な断面図である。本変形例では、第２レンズＬ２の凸部Ｌ２ｂの上端面Ｌ２ｅと、外周面Ｌ２ｄとの間を、断面が曲線からなる面取り部Ｌ２ｆとしている。すなわち、組み付け時には面取り部Ｌ２ｆがテーパ面Ｌ１ｆに案内されることとなり、これにより凸部Ｌ２ｂのエッジでテーパ面Ｌ１ｆにより削られることが抑制され、それにより発生する塵埃等がレンズ面に付着することを回避できる。特に、第２レンズＬ２が比較的柔らかいプラスチックから形成されている場合に効果がある。
【００４６】
図９は、本実施の形態の別な変形例を示す図４と同様な断面図である。本変形例では、第１レンズＬ１の凸部Ｌ１ｂにテーパ面を設ける代わりに、第２レンズＬ２の凸部Ｌ２ｂに、テーパ面Ｌ２ｇを形成している。組み付け時には、テーパ面Ｌ２ｇが凸部Ｌ１ｂを案内する。それ以外は上述の実施の形態と同様である。
【００４７】
図１０は、本実施の形態の別な変形例を示す図４と同様な断面図である。本変形例では、第１レンズＬ１の凸部Ｌ１ｂは、外周面（第１の外周面）Ｌ１ｇと下端面Ｌ１ｅと、外周面Ｌ１ｇと下端面Ｌ１ｅとの間に形成されたテーパ面Ｌ１ｈを有している。一方、第２レンズＬ２の凸部Ｌ２ｂは、内周面（第２の内周面）Ｌ２ｈを有している。組み付け時には、テーパ面Ｌ１ｈが凸部Ｌ２ｂを案内し、外周面Ｌ１ｇと内周面Ｌ２ｈとが嵌合する。それ以外は上述の実施の形態と同様である。
【００４８】
図１１は、本実施の形態の別な変形例を示す図４と同様な断面図である。本変形例では、第１レンズＬ１の凸部Ｌ１ｂにテーパ面を設ける代わりに、第２レンズＬ２の凸部Ｌ２ｂの内周面Ｌ２ｈと上端面Ｌ２ｅとの間に形成されたテーパ面Ｌ２ｊを有している。組み付け時には、テーパ面Ｌ２ｊが凸部Ｌ１ｂを案内し、外周面Ｌ１ｇと内周面Ｌ２ｈとが嵌合する。それ以外は上述の実施の形態と同様である。
【産業上の利用可能性】
【００４９】
本発明は、明細書に記載の実施例に限定されるものではなく、他の実施例・変形例を含むことは、本明細書に記載された実施例や思想から本分野の当業者にとって明らかである。
【符号の説明】
【００５０】
１０            撮像装置
１１            撮像素子
１１ａ            光電変換部
１２            撮像レンズ
１３            鏡枠
１４            ＩＲカットフィルタ
１５            基板
６０            入力キー部
６５            表示部
７０            タッチパネル
７１            レリーズボタン
８０            無線通信部
９２            記憶部
１００            スマートフォン
１０１            制御部
Ｌ１〜Ｌ５        レンズ
【図１】
2016001261.tif 000003
【図２】
2016001261.tif 000004
【図３】
2016001261.tif 000005
【図４】
2016001261.tif 000006
【図５】
2016001261.tif 000007
【図６】
2016001261.tif 000008
【図７】
2016001261.tif 000009
【図８】
2016001261.tif 000010
【図９】
2016001261.tif 000011
【図１０】
2016001261.tif 000012
【図１１】
2016001261.tif 000013